(57)【要約】【課題】複数のパチンコ球収納箱を島台に整列良く配置することができるとともに、幕板の裏側にあるデッドスペースを有効利用するすること。【解決手段】パチンコ遊技機１を島台２に設置するための取付枠５、取付枠に取り付けられる遊技機本体１ａ、排出口を有しパチンコ球を貯留する受け皿１０、受け皿よりも下方に設けられ取付枠５及び遊技機本体１ａの間にできる隙間を前から塞ぐ幕板１１を有するパチンコ遊技機１と、島台２の一部であって、受け皿１０から排出されるパチンコ球を受ける球収納箱９を配置可能で幕板１１よりも前方に延在する配置台２ａとを備える遊技機ユニットＩにおいて、幕板１１のうち灰皿収納凹部２４の形成されている箇所には灰皿２０が出入自在に設けられ、幕板１１から出した灰皿２０に球収納箱９を当接させて、配置台２ａの左右方向における球収納箱９の位置規制をする。【選択図】図１
2007319525.tif 000002
【特許請求の範囲】
【請求項１】
遊技媒体が使用される遊技機を遊技場の特定エリアである所定の台に設置するための取付枠、この取付枠に着脱自在に取り付けられる遊技機本体、この遊技機本体に備えられ前記遊技媒体を貯留するとともに貯留された遊技媒体を排出する排出口を有する受け皿、前記取付枠により遊技機を前記台に設置したときに前記受け皿よりも下方に設けられ前記取付枠及び前記遊技機本体の間にできる隙間を前面側から塞ぐ幕板を有する遊技機と、
前記台の一部であって、前記受け皿の排出口から排出される遊技媒体を受ける遊技用媒体収納箱を配置可能なスペースを有し、前記幕板よりも前方に延在する配置台と、を備える遊技機ユニットにおいて、
前記幕板の所定の箇所には、少なくとも上方へ開口された収納ボックスが出入自在に設けられ、
幕板から出した収納ボックスに前記遊技用媒体収納箱を当接させて、前記配置台の左右方向における当該遊技用媒体収納箱の位置規制をすることを特徴とする遊技機ユニット。
【請求項２】
前記収納ボックスは灰皿であるとともに、
前記幕板には前記収納ボックスを出し入れするための出入部が設けられ、この出入部に対し前記収納ボックスは、当該収納ボックスを出し入れする出入機構により出し入れ自在とされ、
前記出入機構は、灰皿又は前記出入部の近傍に設けられた軸と、この軸を回転自在に支持するために前記出入部の近傍又は灰皿に設けられた軸受け部とを有し、
前記幕板の裏側には、前記灰皿の燃えさしその他の灰を回収するための燃えさし回収部が設けられ、
前記出入機構により前記灰皿を所定の方向に回転すると、当該灰皿は、前記出入部から前記幕板内部に収納され、当該所定の方向と反対方向に回転されると前記幕板から出され、
収納のために灰皿を回転すると、灰皿内の燃えさしその他の灰が、灰皿の前記開口から放出されて前記燃えさし回収部に回収されるよう、灰皿を収納したときにおける灰皿の位置に対する燃えさし回収部の位置が設定されていることを特徴とする請求項１に記載の遊技機ユニット。
【請求項３】
前記収納ボックスは、これが前記幕板から出された状態を保持する保持手段によって、前記幕板から出された状態が保持されることを特徴とする請求項１又は２に記載の遊技機ユニット。
【発明の詳細な説明】
【技術分野】
【０００１】
本発明は、遊技機ユニットに関し、詳しくは遊技場の島設備に設置される遊技機ユニットに関する。
【背景技術】
【０００２】
パチンコ遊技機、パチスロその他遊技媒体が使用される遊技機が設置される遊技場（以下、ホール）では、いわゆる島と呼ばれる特定エリアに遊技機設置用の台（以下、島台）が設置され、島台には複数の遊技機が設置される。
【０００３】
図１２及び図１３はパチンコ遊技機１が島台２に設置された一例である。島台２の台面２ａには、その長手方向にパチンコ遊技機１が複数配列される。
【０００４】
パチンコ遊技機１を島台２に設置するには、島台２に固定的に取り付けられている矩形状の取付枠５を用いて、遊技機本体１ａを一台一台設置する。
【０００５】
また、パチンコ遊技機１を取付枠５により島台２の台面２ａに設置したときに、台面２ａのうち遊技機１の前方にあたる部分Ｓは、配置台として用いられ（以下、部分Ｓを配置台Ｓという）、そこには、パチンコ球を収容するパチンコ球収納箱９やドリンク（図示せず）が置かれる立体スペースが確保されている。
【０００６】
この明細書で前とは、図１に正対した場合、すなわち遊技者とパチンコ遊技機１とが対向した場合において遊技者の手前側をいい、後ろとは同じく遊技者の向こう側をいい、上・下及び左・右は同じく遊技者の上側、下側、左側及び右側をいうことにする。
【０００７】
パチンコ球収納箱９は、パチンコ遊技機１の前面にある球受け皿１０が、パチンコ球で満杯となり、それ以上貯め置くことができなくなったときに球受け皿１０の図示しない排出孔からパチンコ球を排出して入れる箱であり、ホール開店前に従業員（以下、ホール従業員）により一つずつ前記配置台Ｓに並べられる。
【０００８】
なお、取付枠５によって島台２に設置された１台のパチンコ遊技機１と島台２の配置台Ｓとを含むものをこの明細書では遊技機ユニットＩと呼称する。また、当該排出孔は、遊技機本体１ａの左右（幅）方向中央（以下、遊技機本体１ａの正面中央という）に位置する。
【０００９】
ところで島台２に複数のパチンコ球収納箱９が置かれたときにそれらを整列させるには、パチンコ球収納箱９の各々を、各パチンコ遊技機１の正面中央に真っ直ぐ置くと良い。しかし、パチンコ球収納箱９の配列は、ホール従業員が目見当で行うものであるから、必ずしも整列されるとは限らない。なお、図１３では、パチンコ球収納箱９が、極端に悪く配置された場合を示す。
【００１０】
一方、パチンコ遊技機１は、既述のように取付枠５によって島台２に取り付けられるが、配置台Ｓにパチンコ球収納箱９やドリンクを置いたときに、それらが、パチンコ遊技機１に当たってしまうのを防止できるように、取付枠５の高さ寸法をパチンコ遊技機１のそれよりも長くし、パチンコ遊技機１を島台２の台面２ａから上方に幾分離した状態で取付枠５に取り付ける。
【００１１】
その結果、取付枠５の下方には、パチンコ遊技機１の高さ及び取付枠５の高さの寸法差に相当する高さ寸法と、パチンコ遊技機１のほぼ幅寸法に相当する長さの幅寸法と、を有し、かつ前方に開放する隙間Ｇ（図５参照）ができ、当該隙間Ｇには、これを前面側から塞ぐ幕板１１が宛がわれる。
【００１２】
なお、隙間Ｇは、取付枠５によりパチンコ遊技機１を島台２に設置したときに球受け皿１０よりも下方に設けられ取付枠５及び遊技機本体１ａの間にできるデッドスペースである。よって、当該隙間Ｇをデッドスペースとならないように有効利用したいという要請があった。
【特許文献１】特開２００５−１７７３６７号公報
【発明の開示】
【発明が解決しようとする課題】
【００１３】
本発明はこのような実情に鑑みてなされたものであり、その解決しようとする課題は、複数のパチンコ球収納箱を島台に整列良く配置することができるとともに、幕板の裏側にあるデッドスペースを有効利用する技術を提供することにある。
【課題を解決するための手段】
【００１４】
本発明の遊技機ユニットは、前記課題を解決するため以下の手段を採用した。
すなわち本発明の遊技機ユニットは、遊技媒体が使用される遊技機を遊技場の特定エリアである所定の台に設置するための取付枠、この取付枠に着脱自在に取り付けられる遊技機本体、この遊技機本体に備えられ前記遊技媒体を貯留するとともに貯留された遊技媒体を排出する排出口を有する受け皿、前記取付枠により遊技機を前記台に設置したときに前記受け皿よりも下方に設けられ前記取付枠及び前記遊技機本体の間にできる隙間を前面側から塞ぐ幕板を有する遊技機と、前記台の一部であって、前記受け皿の排出口から排出される遊技媒体を受ける遊技用媒体収納箱を配置可能なスペースを有し、前記幕板よりも前方に延在する配置台とを備えている。
【００１５】
そして、本発明の遊技機ユニットでは、前記幕板の所定の箇所に上方へ開口された収納ボックスが出入自在に設けられ、幕板から出した収納ボックスに前記遊技用媒体収納箱を当接させて、前記配置台の左右方向における当該遊技用媒体収納箱の位置規制をすることを特徴とする。
【００１６】
したがって、本発明によれば、前記遊技用媒体収納箱を収納ボックスに当接させるように配置台に置けば、遊技用媒体収納箱は、前記配置台の左右方向において前記収納ボックスと当接する側へはそれ以上移動できない。すなわち、当該遊技用媒体収納箱は、これが配置台に置かれたときに配置台の左右方向において常に同じ位置に配置される。
【００１７】
よって、収納ボックスに遊技用媒体収納箱を当接させたときに遊技用媒体収納箱が配置台の正面中央に丁度位置するように、遊技用媒体収納箱の大きさと、幕板において収納ボックスが設けられる所定の箇所とを設定しておけば、遊技用媒体収納箱が配置台の正面中央に丁度位置する。
【００１８】
このため島台に設置してある各遊技機の収納ボックスを総て幕板から出し、遊技機の各配置台において遊技用媒体収納箱を収納ボックスに当接させた状態で配置すると、遊技用媒体収納箱の各々は、配置台の正面中央に丁度位置する。すなわち総ての遊技用媒体収納箱が同じ位置に置かれるようになる。したがって、遊技用媒体収納箱が島台全体で整然と配置されるようになる。
【００１９】
収納ボックスは、これを前記幕板から出したときに特定の物に当接するものであれば何
でもよいが、幕板から出したときに上方に開口する容器、例えば灰皿が好適である。その場合、灰皿は、これが前記幕板に対し所定の軸を中心に灰皿の開口を下方に向けられるように回転自在に取り付けられていると、灰皿に入っている煙草の燃えさしを捨てるのに便利である。
【００２０】
清掃にあたる者が灰皿を回転し、開口を下に向けるだけで、灰皿に入っていた燃えさしを自然落下させることができるため、清掃を行うものの負担が減るからである。なお、燃えさしには煙草の燃え残りだけでなく灰やマッチも含む意である。
【００２１】
灰皿を回転自在にするにあたり、幕板には灰皿の軸受け部を有する必要がある。この軸受け部で前記軸を支えることにより、前記灰皿は、これを所定の方向に回転することで幕板に対して収納され、当該回転と反対の方向に回転することで幕板から出されるようにする。前記軸と軸受け部とからなる機構を出入機構という。
【００２２】
出入機構の前記軸は、灰皿又は前記出入部の近傍に取り付けられたものを挙げられる。また軸受けは、軸を回転自在に支持するために前記出入部の近傍又は灰皿に設けられたものを挙げられる。
【００２３】
そして、幕板内部には、収納のために灰皿を回転したときの回転力により灰皿に入っていた灰皿内部の燃えさしが排出されると、当該排出された燃えさしを回収する燃えさし回収部を設けておくことが好ましい。この燃えさし回収部は、ある程度燃えさしが貯まった段階で幕板から取り出せるものであることは勿論である。
【００２４】
また、収納ボックスが幕板から出された状態を保持する保持手段によって、前記幕板から収納ボックスが出された状態を保持することができる。このため収納ボックスが幕板に引っ込んでしまったり、幕板からの突出量が少なかったりするということがない。したがって、パチンコ球収納箱９を灰皿２０に当接させることを確実に行える。
【発明の効果】
【００２５】
本発明によれば、複数の遊技機を有する島台の各遊技機ごとに遊技用媒体収納箱を整列良く配置することができるとともに、幕板の裏側にあるデッドスペースを有効利用することができる。
【発明を実施するための最良の形態】
【００２６】
以下、図面を参照して本発明に係る遊技機ユニットの好適な実施形態を説明する。
【実施例１】
【００２７】
図１〜図１０を参照して実施例１に係る遊技機ユニットＩＩを説明する。
本発明に係る遊技機ユニットＩＩが、従来技術で述べた遊技機ユニットＩと異なる点は、幕板１１に灰皿２０（収納ボックス）が設けられている点だけである（特に図１，図９参照）。よって同一部分には同一符号を付して説明を省略する。
【００２８】
幕板１１の向かって左側部位には、引き出し状の灰皿２０が設けられている（図２及び図３並びに図６の白抜き矢印参照）。灰皿２０は、上方へ開かれた箱状をしており、その手前部分には、灰皿２０の取っ手２１が形成され、取っ手２１の上面は吸いかけの煙草を置く煙草置き凹部２２が形成されている。なお、灰皿２０の開口を符号２０ａで示す。そして開口２０ａを含み燃えさしが収容される直方体形状部分を燃えさし収容部と呼称し、符号２０ｂで示す。
【００２９】
灰皿２０は、幕板１１の内部に形成されかつ前方に開口２４ａを有する出入部としての
灰皿収納凹部２４に対してスライドしながら出し入れ自在とされている。また、灰皿２０の後端面には、灰皿２０の引き出し量を制限するために両側に張り出す張出しフランジ２０ｃが形成されている（図６参照）。
【００３０】
張出しフランジ２０ｃは、幕板１１の内面のうち灰皿収納凹部２４の開口２４ａの周囲と対向しており、灰皿２０が最大に引き出されたときに幕板１１の内面に当接し、それ以上灰皿２０を引き出すことができないようにするためのものである。幕板１１のうち灰皿収納凹部２４の形成されている箇所を幕板の所定の箇所という。
【００３１】
また、実施例１では、灰皿収納凹部２４の開口２４ａと、この開口２４ａをスライド可能な燃えさし収容部２０ｂとを、灰皿収納凹部２４に対し灰皿２０をスライドさせながら出し入れ自在とする出入機構３２ということにする（図６及び図７参照）。
【００３２】
さらに、灰皿収納凹部２４の開口（以下、灰皿出入口）２４ａから灰皿２０を出した状態で、当該灰皿２０にパチンコ球収納箱９を当接させると（図１〜図５等参照）、パチンコ球収納箱９は、配置台Ｓの左右方向においてそれ以上左側には移動できない。すなわち位置規制がなされる。
【００３３】
位置規制がなされると、パチンコ球収納箱９は、球受け皿１０の図示しない排出孔の真下に置かれる。よって、パチンコ球収納箱９を当接させる灰皿２０Ａはパチンコ球収納箱９の位置規制手段といえる。また排出孔は、遊技機本体１ａの正面中央に位置する
【００３４】
排出孔は、遊技機本体１ａの正面中央に位置するから、排出孔の真下に位置するパチンコ球収納箱９も遊技機本体１ａの正面中央に位置される。
【００３５】
加えて、灰皿２０は、これが灰皿収納凹部２４から出された時に、その状態を保持する保持手段２６によって固定される（図６参照）。
【００３６】
保持手段２６は、灰皿２０の側面のうちパチンコ球収納箱９の置かれる側と反対の側に設けられた係止溝２６ａと、係止溝２６ａと係止及び係止解除の関係にあるストッパ２６ｂとからなる。ストッパ２６ｂは、幕板１１の正面に設けられた左右方向に延びるスライド構１１ａをスライド自在に移動できるように取り付けられている。
【００３７】
そして、灰皿２０を出した状態において、スライド構１１ａのうち灰皿２０寄りの一端に向けてストッパ２６ｂをスライドしたときにストッパ２６ｂは係止溝２６ａと係止され、灰皿２０から離れた他端にスライドしたときに当該係止が解除される。係止解除の状態で灰皿２０を灰皿収納凹部２４に収納することができる（図６の二点鎖線参照）。
【００３８】
また、灰皿２０の側面のうち保持手段２６のある側と反対の側には、スポンジその他の弾性体４０が取り付けられており、灰皿２０にパチンコ球収納箱９が当たった時に両者に生ずる衝撃を緩和する。
【００３９】
次に実施例１の作用効果について述べる。
位置規制手段である灰皿２０を灰皿収納凹部２４から出し、パチンコ球収納箱９を灰皿２０に当接させた状態で配置台Ｓに置けば、パチンコ球収納箱９は、配置台Ｓの左右方向において灰皿２０と当接する側へはそれ以上移動できない。すなわち、パチンコ球収納箱９は、配置台Ｓに置かれたときに常に同じ位置に配置されるようになる（図８参照）。
【００４０】
しかも当該位置は、パチンコ球収納箱９を遊技機本体１ａの正面中央に丁度位置させるものであるから、複数のパチンコ遊技機１が取り付けられている島台２において、各遊技
機ごとの配置台Ｓにパチンコ球収納箱９を配置すると、パチンコ球収納箱９が遊技機本体１ａの正面中央に丁度位置するようになる。したがって、島台２には、複数のパチンコ球収納箱９が規則正しく整然と配置されるようになる（図１０参照）。
【００４１】
なお、パチンコ球収納箱の種類によっては大きさ（容積）が異なり、遊技機本体の正面中央にパチンコ球収納箱の中心を合わせることができない場合を想定できるが、この明細書ではパチンコ球収納箱の大きさは一律であり、それに合わせて幕板における灰皿の位置が決められているものとする。
【００４２】
また、保持手段２６により、灰皿２０が幕板１１から出ている状態を保持することができるので、灰皿２０が灰皿収納凹部２４に引っ込んでしまったり、突出量が少ないということがない。このためにパチンコ球収納箱９を灰皿２０に当接させることを確実に行える。
【実施例２】
【００４３】
図１１を用いて実施例２について述べる。
実施例２が実施例１と相違する点は、灰皿を幕板１１に対して出し入れするための構造及びその構造上の相違に関連する部分にある。よって当該相違部分のみ説明する。なお図１１において実施例１と同一部分には同一符号を付してある。
【００４４】
実施例２における灰皿２０Ａは、出入機構３２Ａにより、幕板１１に設けられた灰皿収納凹部２４に対し出し入れ自在にされている。灰皿２０Ａはこれが出入機構３２Ａにより幕板１１から出されて使用されるときに上方及び後方へ開かれる箱状をしている。当該開口を符号２０Ａａで示す。なお、灰皿２０Ａには灰皿２０にあった張出しフランジ２０ｃは有しない。
【００４５】
出入機構３２Ａは、灰皿２０Ａの一縁に設けられた軸３４と、この軸３４を回転自在に支持するために灰皿収納凹部２４の灰皿出入口２４ａの近傍、具体的には例えば灰皿出入口２４ａの下縁に沿って水平面内に設けられた軸受け部３６とを有する機構である。なお、軸受け部３６と軸３４の形成箇所を灰皿２０Ａと灰皿出入口２４ａの下縁とで入れ替えて、灰皿２０Ａに軸受け部３６を設け、灰皿出入口２４ａの下縁に軸３４を設けたものでもよい。
【００４６】
出入機構３２Ａにより、灰皿２０Ａは、垂直面内において回転自在とされ、出入機構３２Ａにより灰皿２０Ａが所定の方向（図１１において反時計周り）に回転されると、灰皿２０は、灰皿出入口２４ａから幕板１１の内部に収納される。そして所定の方向と反対方向（図１１において時計周り）に回転されると幕板１１から出される。
【００４７】
幕板１１の裏側に位置する灰皿収納凹部２４には、灰皿２０Ａの燃えさしその他の灰を回収するための燃えさし回収部３８が設けられている。燃えさし回収部３８は、灰皿２０Ａ内に貯まった燃えさしその他の灰を遊技機内部で回収するためのものであり、灰皿２０Ａの数倍の容量を持つ。そして、灰皿２０Ａの灰皿出入口２４ａよりも十分大きな開口３８ａを有し、灰皿２０が幕板１１に収納されると灰皿出入口２４ａが下方に向けられた状態で灰皿２０Ａの全体を包み込む。
【００４８】
そして燃えさし回収部３８の設置位置は、灰皿２０Ａを幕板１１に収納する方向に回転して収納したときに、灰皿２０Ａの開口２０Ａａから燃えさしが、燃えさし回収部３８に丁度入る位置とされている。なお、出入機構３２Ａの構成部材である軸受け部３６と軸３４とが組み合わされたことにより回転する灰皿２０Ａの回転中心軸を符号ｃで示す。
【００４９】
また燃えさし回収部３８は、ホール従業員によって、パチンコ遊技機１の裏面側から引き出され、そこに貯まった燃えさしが図示しない他の回収容器に捨てられる。なお、灰皿２０Ａにおいても実施例１と同様に保持手段があると突出した状態を維持できる。
【００５０】
次に実施例２の作用効果について述べる。
この実施例２にあっても灰皿収納凹部２４から灰皿２０を出して、この灰皿２０の側面にパチンコ球収納箱９を当接させた状態でパチンコ球収納箱９を台面２ａに置けば、パチンコ球収納箱９は、台面２ａの左右方向において灰皿２０の側である左側へはそれ以上移動できない。すなわち、実施例１の場合と同様の効果を奏する。
【００５１】
灰皿２０Ａは、回転中心軸ｃを中心に回転自在に取り付けられているので、灰皿２０Ａを回転するだけの簡単な作業で、中に入っている煙草の燃えさしを燃えさし回収部３８に捨てることができる。すなわち清掃にあたる者が、灰皿２０Ａの開口２０Ａａを燃えさし回収部３８の側に回転するだけで、灰皿２０Ａに入っていた燃えさしを燃えさし回収部３８に向けて放出することができるため、清掃を行うものの負担が減らすことができる。
【００５２】
なお、本発明は、上述の図示例にのみ限定されるものではなく、本発明の要旨を逸脱しない範囲内において種々変更を加え得ることは勿論である。例えば、本実施の形態では、パチンコ球収納箱９の位置規制手段として灰皿２０Ａを開示したが、幕板１１から出したときに上方に開口する何らかを収納するボックスであれば、灰皿に限らないのは勿論である。灰皿以外にドリンク容器が入るようにされたドリンクホルダや、遊技者が所有する携帯電話やキーホルダーその他の小物を入れるようにした容器であってもよい。
【図面の簡単な説明】
【００５３】
【図１】本発明遊技機の実施例１に係るパチンコ遊技機の全体斜視図である。
【図２】図１の要部拡大図である。
【図３】灰皿が収納されている状態の図２に相当する図である。
【図４】図１の正面図である。
【図５】図４のＶ−Ｖ線概略断面図である。
【図６】図５の領域ＶＩの拡大断面図である。
【図７】図４のＶＩＩ−ＶＩＩ線概略拡大断面図である。
【図８】図１を別方向から見た拡大図である。
【図９】島台に取付枠を取り付けても、取付枠に遊技機本体が取り付けられていない状態を示す斜視図である。
【図１０】本発明遊技機を用いてパチンコ球収納箱を配置した状態を示す島台の全体斜視図である。
【図１１】本発明遊技機の実施例２に係るパチンコ遊技機の要部断面図であって、出入機構を説明するための図である。
【図１２】従来技術を説明するための図であって島台の一部を拡大して示す図である。
【図１３】従来技術を説明するための図であって島台の全体を示す図である。
【符号の説明】
【００５４】
１  パチンコ遊技機（遊技媒体が使用される遊技機）
１ａ  （遊技機本体）
２  島台（所定の台）
２ａ  島台の台面
５  （取付枠）
９  パチンコ球収納箱
１０  球受け皿（受け皿）
１１  幕板
１１ａ  スライド構
２０  灰皿
２０Ａ  灰皿（収納ボックス）
２０Ａａ  開口
２０ａ  開口
２０ｂ    張出しフランジ
２１  取っ手
２２  煙草置き凹部
２４  灰皿収納凹部（出入部）
２４ａ  灰皿収納凹部の灰皿出入口
２６  （保持手段）
２６ａ  係止溝
２６ｂ  ストッパ
３２  出入機構
３２Ａ  出入機構
３４  （軸）
３６  （軸受け部）
３８  （燃えさし回収部）
４０  スポンジ
Ｉ  遊技機ユニット
ＩＩ  遊技機ユニット
Ｇ  隙間
Ｓ  配置台
ｃ  回転中心軸
【図１】
2007319525.tif 000003
【図２】
2007319525.tif 000004
【図３】
2007319525.tif 000005
【図４】
2007319525.tif 000006
【図５】
2007319525.tif 000007
【図６】
2007319525.tif 000008
【図７】
2007319525.tif 000009
【図８】
2007319525.tif 000010
【図９】
2007319525.tif 000011
【図１０】
2007319525.tif 000012
【図１１】
2007319525.tif 000013
【図１２】
2007319525.tif 000014
【図１３】
2007319525.tif 000015